(57)【要約】      （修正有） 【課題】資源物１類プラスチック製容器包装品類であるポリエチレン製のレジ袋とごみ収集袋との共用可能な袋の提供。【解決手段】袋の底縁から２〜３ｃｍの位置に底部溶着部９を設け、この間に切取り切断部１１を設ける。長手方向の略中間１７で折り返し、底縁を袋の上部近傍に溶着１０する。この状態で使用すればレジ袋１となり、切取り切断部１１を切離して長く伸ばせばごみ収集袋となる。【選択図】  図１
2009012771.tif 000002
【特許請求の範囲】
【請求項１】
袋において、袋本体の底部に底縁から約２ｃｍから約３ｃｍ上部に底部溶着部を設け、この底縁と底部溶着部の間に、切取りが出来る切断部を設け、袋本体の両側部を袋幅の約１／５から１／４の範囲の寸法で内側に折り込んで底縁を溶着し、さらに袋本体の長さの約１／４から２／５の範囲で袋本体の底部を折り返し、底縁溶着部を袋本体に溶着したことを特徴とする多用途袋。
【発明の詳細な説明】
【技術分野】
【０００１】
本発明は、小さな袋を、大きな袋に容易に転用できる、多用途袋に関するものである。
【背景技術】
【０００２】
一例として、従来のレジ袋は、物品購入時に商品を入れ運搬を目的として製造し、購入容量に応じて、主に、大きな袋容量約１１リットル、中程度の袋容量約９リットル、小さな袋容量約４リットルの３種類程度に分類されて無償又は、一部費用を負担し提供されていた、また、ごみ収集用の袋についても主に大きな袋容量７０リットル、中程度の袋容量４５リットル、小さな袋容量２０リットルの３種類程度に分類されオフィス、家庭ごみを、一定期間、排出元に蓄積分別する必要性があり、レジ袋に比べ容量を大きくして一つの、ごみ収集袋として販売提供されている商品である。
【０００３】
しかしながら、現在では環境問題が大きな課題となり環境対策の一つとして政府政策において、マイ袋及び風呂敷等の使用を推進する活動と共に、物品購入時のレジ袋についても、産業廃棄物削減及び、ＣＯ２の削減などを目的として、全面的に有料化する方針で進められている。
【０００４】
しかしながら、現在の取り組みではレジ袋産業廃棄物量の約年間約６０万ｔの大幅な削減効果は期待できず、また、物品購入時のレジ袋が家庭から資源物１類のプラスチック製容器包装品類として分別処理される流れには変化が乏しい、そのため、ＣＯ２の削減効果も、さほど期待できないのが現状である。
【０００５】
また、類似した他の実施形態でバック等に、ファスナーを設置し収納容量を変化させる商品はあるが使用してから捨てられるまでの頻度が激しい商品ではないために、本発明との関連性は非常にすくない。
【特許文献１】特開２００６−８２８４１号公報
【特許文献２】特開平１１−３５１０２号公報
【発明の開示】
【発明が解決しようとする課題】
【０００６】
解決しようとする課題は、一例として特許文献１においては、物品購入時の移動運搬を目的しているレジ袋の発明であり、また、特許文献２においては、オフィス、家庭ごみを、一定期間排出者 が蓄積して収集する目的の産業廃棄物専用のごみ収集袋であり、各目的に個々に発明している商品でありながら、共通点もある、それは、材質がポリエチレン製で、分類としては資源物１類プラスチック製容器包装品類であること、また、廃棄物量が少量であれば、レジ袋も、ごみ収集袋としても使用されている共通点もある
が、このレジ袋と、ごみ収集袋の使用用途を１枚の袋に兼ね備えさせた袋がなく、本発明はその用途を１枚の袋に兼ね備えさせた袋を提供することである。
【０００７】
また、現在の特許文献の袋は、使用用途毎に、主に大きな袋、中程度の袋、小さな袋に分類されていて形状の違いがあるだけで、自在に容量を変えることができない為に、使用後の、付加価値がなく、再度ごみ収集袋等々に使用される比率が非常に少なく、大半は産業廃棄物として処理されているのが現状であり、容量を変えるという付加価値を備えさせることで、産業廃棄物量を削減させることに、貢献できる袋を提供することである。
【課題を解決するための手段】
【０００８】
上記課題を解決するために本発明の多用途袋は、袋本体の底部に底縁から約２ｃｍから約３ｃｍ上部に底部溶着部を設け、この底縁と底部溶着部の間に、切取りが出来る切断部を設け、袋本体の両側部を袋幅の約１／５から１／４の範囲の寸法で内側に折り込んで底縁を溶着し、さらに袋本体の長さの約１／４から２／５の範囲で袋本体の底部を折り返し、底縁溶着部を袋本体に溶着したことを特徴とする。
【発明の効果】
【０００９】
小さな袋を、大きな袋に容易に変化させることができる発明である為に、容量を最大４倍程度の容量にできること、一例として大きなレジ袋容量約１１リットルが、中程度の、ごみ収集袋容量４５リットルの大きさにできるものである。
【００１０】
本発明の効果は、一例として環境に配慮したリサイクルが可能な素材である資源物２類に分類されている紙製袋でも、本発明の考え方を利用して、溶着固定部を接着固定に変えることにより紙製の小さな袋を、大きな袋に容易に変化させる効果もある。
【００１１】
本発明の効果は、一例として環境に配慮したリサイクルが可能な素材である資源物１類プラスチック製容器包装品類のポリエチレン製で作られているために、リサイクルを容易にできる効果がある。
【発明を実施するための最良の形態】
【００１２】
本発明の実施の一例に基づき実施の形態を、図面を参照しつつ以下詳細に説明する。
【実施例１】
【００１３】
実施例を分かり易く説明するために、ここでは汎用されている厚みが０．０２ｍｍの４５リットル用のポリエチレン製ごみ収集袋をベースにした多用途袋の一例を説明する。図１は、本発明の多用途袋であり、レジ袋として使うことを前提にしたもので、幅が約３２５ｍｍで高さが約４８０ｍｍで約１１リットルの容量をもつが、切取り切断部１１を切断して広げることにより、約４５リットルの容量のごみ収集袋２として使えるものである。
【００１４】
図１の本発明の多用途袋は、図４に示した多用途袋のもとの形状の袋本体３から作っ
たが、通常の４５リットル用のポリエチレン製ごみ収集袋の寸法の長さが約８００ｍｍであるの対して、図４に示すように底部溶着部９の下に切取り切断部１１と図１のレジ袋１における加工段階で溶着する底縁溶着固定１０設けるために約２０ｍｍ大きくして約８２０ｍｍとした。また、もとになる袋の開口が約６５０ｍｍであるが、図１の本発明の多用途袋の開口は約３２５ｍｍとしたため、開口部のバラケ防止及び補強のために袋本体の最上部１６の両側から約１６２．５ｍｍを溶着してバラケ防止及び補強のための溶着固定部８として、その約１０ｍｍ下部に上部切取り切断部１２を設けた。なお、このバラケ防止及び補強のための溶着固定部８と上部切取り切断部１２は必要ない場合には省くこともできる。
【００１５】
また、図４の多用途袋の、もとの形状の袋本体３の底縁１５から約２０ｍｍ離した上部に、ごみ収集袋の底部溶着部９を設け、この袋本体３の底縁１５と、底部溶着部９の間に切取りが出来る切取り切断部１１を設けた。
【００１６】
図４の本発明の多用途袋の、もとの形状の袋本体３から中程度のレジ袋本体１でレジ袋本体１の幅寸法は３２５ｍｍでレジ袋本体の高さ寸法４８０ｍｍであり容量は約１１リットルのレジ袋本体１を示し、持ちやすくするために手で持つ部分１４を設け、また、材質はポリエチレン製で、厚さ約０．０２ｍｍで構成されている。
【００１７】
つぎに、多用途袋の、もとの形状の袋本体３の両側から約１６２．５ｍｍを内側に折り込み、図２の底縁溶着固定１０で溶着固定し、さらに図４の袋本体３の高さ寸法８２０ｍｍのうち底縁１５から約３４０ｍｍ上部で折り返し、袋本体３の底縁溶着固定１０を、図１のレジ袋本体１に溶着テープで溶着した部分１３などで固定して、図１に示した本発明の多用途袋ができる。
【００１８】
バラケ防止及び補強のための溶着固定部８・底部溶着部９・底縁溶着固定１０・溶着テープで溶着した部分１３及び切取り切断部１１の位置関係を分かり易く説明するために図１のレジ袋本体１をＡ−Ａで切断した説明図を図２に示した。
【００１９】
図１に示す本発明の多用途袋を、一例としてレジ袋本体１として使用する上で機能確認のために、物品購入時の店から移動先までの物品の移動を、試験的に５キログラムの重量物を入れ運搬してみたが、問題なく使えた。
【００２０】
さらに、切取り切断部１１及び上部切取り切断部１２を切断して、下部及び両側に広げることにより、幅寸法約６５０ｍｍ高さ寸法約８００ｍｍの図３に示す、容量約４５リットルのごみ収集袋２に変えることができる。
【図面の簡単な説明】
【００２１】
【図１】本発明の多用途袋
【図２】多用途袋をＡ-Ａで切断し断面説明図
【図３】多用途袋の切断部１１を切断し広げた袋
【図４】本発明の多用途袋の、もとの形状
【符号の説明】
【００２２】
１    レジ袋本体
２    ごみ収集袋
３    多用途袋の、もとの形状の袋本体
４    袋本体の表と裏面側のポリエチレンフイルム２枚
５    袋本体を両側から折り返した表と裏面側のポリエチレンフイルム２枚  
６    袋本体の底部を折り返した本体側の表と裏面側ポリエチレンフイルム２枚
７    袋本体の底部を折り返した表と裏面側ポリエチレンフイルム２枚
８    バラケ防止及び補強のための溶着固定部
９    底部溶着部
１０    底縁溶着固定
１１    切取り切断部
１２    上部切取り切断部
１３    溶着テープで溶着した部分
１４    手で持つ部分
１５    底縁
１６    袋本体の最上部
１７    レジ袋本体の底縁
１８    レジ袋時の下部詳細図イ
１９      レジ袋時の中央接合部詳細図ロ
２０      レジ袋時の中央接合部詳細図ハ
２１    折り返しバラケ防止シール
【図１】
2009012771.tif 000003
【図２】
2009012771.tif 000004
【図３】
2009012771.tif 000005
【図４】
2009012771.tif 000006